(57)【特許請求の範囲】
【請求項１】
発振機能を有する第一の増幅素子とこの第一の増幅素子に接続されると共に第一のベース巻線を有する第一のトランスとによって構成された第一のインバータ、
上記第一のトランスの出力端に接続された第一の冷陰極管、
発振機能を有する第二の増幅素子とこの第二の増幅素子に接続されると共に第二のベース巻線を有する第二のトランスとによって構成された第二のインバータ、
上記第二のトランスの出力端に接続された第二の冷陰極管を備え、
上記第一のインバータの第一のベース巻線及び第二のインバータの第二のベース巻線は、それらのいずれか一つが選択され、その選択されたベース巻線が、上記第一の増幅素子及び第二の増幅素子に接続されるよう構成されていることを特徴とする多灯式冷陰極管点灯装置。
【請求項２】
第一の増幅素子及び第二の増幅素子は、それぞれスイッチを介して電源に接続され、上記スイッチを制御することにより、第一の冷陰極管及び第二の冷陰極管は、各別に点灯が制御されるよう構成されていることを特徴とする請求項１記載の多灯式冷陰極管点灯装置。
【発明の詳細な説明】
【０００１】
【発明の属する技術分野】
この発明は、表示装置に用いられる多灯式冷陰極管点灯装置に関する。
【０００２】
【従来の技術】
一般にコンピュータ等の表示部には、バックライトを内蔵した液晶表示パネルが用いられ、この液晶表示パネルのバックライトとして、輝度確保や明るさのムラ防止のために複数の冷陰極管が用いられる。
これらの多灯式冷陰極管は、点灯周波数のバラツキにより、チラツキが発生するので、発振回路を共有にし、各冷陰極管の相互同期を取って、チラツキを抑える必要がある。
【０００３】
図３及び図４に、従来の多灯式点灯装置を示す。
図３は、従来の多灯式点灯装置を示す回路図であり、特開平４−２９８９９５号公報に記載されたものである。
図３において、１、２はそれぞれインバータ回路である。Ｑ１、Ｑ２、Ｑ３、Ｑ４はトランジスタ、Ｃ１、Ｃ２、Ｃ３、Ｃ４はコンデンサ、Ｔ１、Ｔ２はトランス、Ｎｆ１はトランスＴ１のベース巻線である。Ｌ１はチョークコイル、ＣＣＦＬ１、ＣＣＦＬ２は冷陰極管である。
図３の多灯式点灯装置は、２組のインバータ回路１、２によって構成され、一方のインバータ回路１のトランスＴ１のベース巻線Ｎｆ１を、それぞれの発振回路に入力することで、各冷陰極管ＣＣＦＬ１、ＣＣＦＬ２の点灯周波数を同一にしている。
【０００４】
図４は、従来の多灯式点灯装置を示す回路図である。
図４において、１はインバータ回路、Ｑ１、Ｑ２はトランジスタ、Ｃ１、Ｃ２、Ｃ３はコンデンサ、Ｔ１、Ｔ２はトランスである。Ｌ１はチョークコイル、ＣＣＦＬ１、ＣＣＦＬ２は冷陰極管である。
図４の多灯式点灯装置は、チョークコイルＬ１と、２個の出力トランスＴ１、Ｔ２を有するインバータ回路によって構成されている。インバータ回路１のトランスＴ１及びトランスＴ２を並列に接続することで、同一の点灯周波数を共有し、出力同期を取るようにしている。
【０００５】
【発明が解決しようとする課題】
上述の技術で、複数の冷陰極管すべての同期が取れるようになったが、今後さらに多様化する調光方式には満足できないという問題があった。
【０００６】
この発明は、上述のような課題を解決するためになされたものであり、複数の冷陰極管の相互同期を取ってチラツキを防止しながら、それぞれを独立に調光できる多灯式冷陰極管点灯装置を得ることを目的とする。
【０００７】
【課題を解決するための手段】
この発明に係わる多灯式冷陰極管点灯装置においては、発振機能を有する第一の増幅素子とこの第一の増幅素子に接続されると共に第一のベース巻線を有する第一のトランスとによって構成された第一のインバータ、第一のトランスの出力端に接続された第一の冷陰極管、発振機能を有する第二の増幅素子とこの第二の増幅素子に接続されると共に第二のベース巻線を有する第二のトランスとによって構成された第二のインバータ、第二のトランスの出力端に接続された第二の冷陰極管を備え、第一のインバータの第一のベース巻線及び第二のインバータの第二のベース巻線は、それらのいずれか一つが選択され、その選択されたベース巻線が、第一の増幅素子及び第二の増幅素子に接続されるよう構成されているものである。
【０００８】
また、第一の増幅素子及び第二の増幅素子は、それぞれスイッチを介して電源に接続され、スイッチを制御することにより、第一の冷陰極管及び第二の冷陰極管は、各別に点灯が制御されるよう構成されているものである。
【０００９】
【発明の実施の形態】
実施の形態１．
実施の形態１について、図面に基づき詳細に説明する。
図１は、この発明の実施の形態１による多灯式冷陰極管点灯装置を示す回路図である。
図１において、１は自励発振機能を有する正帰還増幅回路を用いて構成された主インバータ回路（第一のインバータ回路）、２は主インバータ回路１と同様に構成された副インバータ回路（第二のインバータ回路）である。
【００１０】
まず、主インバータ回路１の構成について説明する。
主インバータ回路１は、自励発振機能を有する正帰還増幅回路（第一の増幅回路）を用いて構成される。正帰還増幅回路は、増幅素子であるトランジスタＱ１、Ｑ２によって構成され、トランジスタＱ１、Ｑ２の各エミッタは接地されるとともに、各コレクタは出力トランスＴ１、Ｔ２（第一のトランス）の一次巻線Ｎ１、Ｎ３のそれぞれ両端に並列に接続される。
また、電源ラインＶ１には、スイッチＳ３とチョークコイルＬ１が接続され、一次巻線Ｎ１、Ｎ３のセンタタップは、チョークコイルＬ１の出力側に接続される。一方、トランジスタＱ１、Ｑ２の各ベースは、抵抗Ｒを介してチョークコイルＬ１の出力側に接続されるとともに、出力トランスＴ１に設けられたベース巻線Ｎｆ１（第一のベース巻線）の両端にスイッチＳ１を介して、それぞれ接続される。また、トランジスタＱ１とＱ２の各コレクタ間には、コンデンサＣ１が接続される。
出力トランスＴ１、Ｔ２における二次巻線Ｎ２、Ｎ４の一端は、接地されたアース出力端子に接続される。他端はそれぞれコンデンサＣ２、Ｃ３を介して各出力端子に接続される。そして、出力端子とアース出力端子間には、それぞれ冷陰極管ＣＣＦＬ１（第一の冷陰極管）が接続されている。
【００１１】
副インバータ回路２も主インバータ回路１と同様の回路構成である。
副インバータ回路２は、自励発振機能を有する正帰還増幅回路（第二の増幅回路）を用いて構成され、正帰還増幅回路は、増幅素子であるトランジスタＱ３、Ｑ４によって構成されている。トランジスタＱ３、Ｑ４の各エミッタは接地されるとともに、各コレクタは出力トランスＴ３、Ｔ４（第二のトランス）の一次巻線Ｎ５、Ｎ７のそれぞれ両端に並列に接続される。
また、電源ラインＶ２には、スイッチＳ４とチョークコイルＬ２が接続され、一次巻線Ｎ５、Ｎ７のセンタタップは、チョークコイルＬ２の出力側に接続される。一方、トランジスタＱ３、Ｑ４の各ベースは、抵抗Ｒを介してチョークコイルＬ１の出力側に接続されるとともに、出力トランスＴ３に設けられたベース巻線Ｎｆ２（第二のベース巻線）の両端にスイッチＳ２を介して、それぞれ接続される。また、トランジスタＱ３とＱ４の各コレクタ間には、コンデンサＣ４が接続される。
出力トランスＴ３、Ｔ４における二次巻線Ｎ６、Ｎ８の一端は、接地されたアース出力端子に接続される。他端はそれぞれコンデンサＣ５、Ｃ６を介して各出力端子に接続される。そして、出力端子とアース出力端子間には、それぞれ冷陰極管ＣＣＦＬ２（第二の冷陰極管）が接続されている。
【００１２】
そして、トランジスタＱ１のベースとトランジスタＱ３のベースは、スイッチＳ２を介してベース巻線Ｎｆ２の一端に接続される。またベース巻線Ｎｆ２の他端には、トランジスタＱ２、Ｑ４のベースが接続される。オン／オフラインＦは、スイッチＳ１と、インバータ素子Ｉ１を介してスイッチＳ２とに接続されている。
【００１３】
図２は、この発明の実施の形態１による多灯式冷陰極管点灯装置の冷陰極管の調光点灯オン／オフパターン及びそれに伴うスイッチ動作を示す図である。
実施の形態１は、従来の２種の点灯方式を組み合わせており、複数の冷陰極管を点灯させる多灯式冷陰極管点灯装置を構成する。すなわち、発振機能を有する正帰還増幅回路と２個の出力トランスを用いて構成されたインバータ回路を２組用意し、それぞれスイッチＳ１、Ｓ２を設けたベース巻線Ｎｆ１、Ｎｆ２を相互の正帰還増幅回路に接続し、調光用にそれぞれのインバータ回路の電源入力部にスイッチＳ３、Ｓ４を有することを特徴としている。
【００１４】
このように構成された多灯式冷陰極管点灯装置においては、発振機能を有する主インバータ回路１は、一つであり、他方の副インバータ回路２は、主インバータ回路１から発振された信号を増幅する単なる増幅器として機能する。ただし、点灯状況により、スイッチＳ３、Ｓ４で主副の入れ替えを行う。このため主インバータ回路１に対する副インバータ回路２の動作周波数は、完全に同一となり、かつ同期がとられている。そして、電源ラインＶ１、Ｖ２とベース巻線Ｎｆ１、Ｎｆ２に設けたそれぞれのスイッチＳ１、Ｓ２により、任意の冷陰極管を調光することができる。
【００１５】
具体的には、調光は、ＰＷＭ信号を各スイッチＳ１、Ｓ２、Ｓ３、Ｓ４に入力することによって行われる。ここで調光点灯形式としては、図２のような４パターンの各冷陰極管ＣＣＦＬ１、ＣＣＦＬ２のオン／オフが挙げられる。これに各パターン時のスイッチ動作を合わせて図２に示されている。このスイッチ動作において、冷陰極管ＣＣＦＬ１がオンする時は、主インバータ回路１のベース巻線Ｎｆ１を利用して同期を取る。しかし、冷陰極管ＣＣＦＬ２のみオンにする場合、主インバータ回路１のベース巻線Ｎｆ１は動作しないので、副インバータ回路２のベース巻線Ｎｆ２にて出力させる。すなわち、冷陰極管ＣＣＦＬ１がオフ、冷陰極管ＣＣＦＬ２がオンの時だけ副インバータ回路２のベース巻線Ｎｆ２をスイッチＳ２によって動作させるものである。
【００１６】
実施の形態１によれば、発振機能を有する正帰還増幅回路を用いて構成された２組のインバータ回路において、共有の発振回路を備えるため、全冷陰極管で点灯周波数の出力同期が完全に一致する。かつ各電源ラインとベース巻線にそれぞれスイッチを付加、動作させることで、任意の冷陰極管を調光できる。すなわち、各冷陰極管の同期を取り、チラツキの発生を防止しながら、任意の冷陰極管を独立に調光を行えるようにしている。
【００１７】
【発明の効果】
この発明は、以上説明したように構成されているので、以下に示すような効果を奏する。
発振機能を有する第一の増幅素子とこの第一の増幅素子に接続されると共に第一のベース巻線を有する第一のトランスとによって構成された第一のインバータ、第一のトランスの出力端に接続された第一の冷陰極管、発振機能を有する第二の増幅素子とこの第二の増幅素子に接続されると共に第二のベース巻線を有する第二のトランスとによって構成された第二のインバータ、第二のトランスの出力端に接続された第二の冷陰極管を備え、第一のインバータの第一のベース巻線及び第二のインバータの第二のベース巻線は、それらのいずれか一つが選択され、その選択されたベース巻線が、第一の増幅素子及び第二の増幅素子に接続されるよう構成されているので、各冷陰極管の同期を取って動作させることができると共に、冷陰極管の調光方法を多様化することができる。
【００１８】
また、第一の増幅素子及び第二の増幅素子は、それぞれスイッチを介して電源に接続され、スイッチを制御することにより、第一の冷陰極管及び第二の冷陰極管は、各別に点灯が制御されるよう構成されているので、第一の冷陰極管及び第二の冷陰極管を各別に調光することができる。
【図面の簡単な説明】
【図１】この発明の実施の形態１による多灯式冷陰極管点灯装置を示す回路図である。
【図２】この発明の実施の形態１による多灯式冷陰極管点灯装置の冷陰極管の調光点灯オン／オフパターン及びそれに伴うスイッチ動作を示す図である。
【図３】従来の多灯式点灯装置を示す回路図である。
【図４】従来の多灯式点灯装置を示す回路図である。
【符号の説明】
１，２ インバータ回路、Ｓ１，Ｓ２，Ｓ３，Ｓ４ スイッチ、
Ｑ１，Ｑ２，Ｑ３，Ｑ４ トランジスタ、
Ｃ１，Ｃ２，Ｃ３，Ｃ４，Ｃ５，Ｃ６ コンデンサ、
Ｔ１，Ｔ２，Ｔ３，Ｔ４ トランス、Ｌ１，Ｌ２ チョークコイル、
Ｎ１，Ｎ３，Ｎ５，Ｎ７ 一次巻線、Ｎ２，Ｎ４，Ｎ６，Ｎ８ 二次巻線、
Ｎｆ１，Ｎｆ２ ベース巻線、Ｒ 抵抗、
ＣＣＦＬ１，ＣＣＦＬ２ 冷陰極管。
【図１】
0004369017.tif 000002
【図２】
0004369017.tif 000003
【図３】
0004369017.tif 000004
【図４】
0004369017.tif 000005